【手続補正書】
【提出日】令和1年10月25日(2019.10.25)
【手続補正１】
【補正対象書類名】特許請求の範囲
【補正対象項目名】全文
【補正方法】変更
【補正の内容】
【特許請求の範囲】
【請求項１】
同内容のコンテンツファイルを記憶した複数のサーバから、前記コンテンツファイルのダウンロードに適した前記サーバを選択し、前記コンテンツファイルをダウンロードするコンテンツ・ダウンロード・システムであって、
前記コンテンツファイルは、前記コンテンツファイルを構成する一部ファイルと、前記一部ファイルよりもデータ量の大きい残部ファイルとから構成されており、
切替指令に応じて、前記残部ファイルを前記複数のサーバに含まれる１つのサーバからダウンロードし、且つ、前記一部ファイルを前記複数のサーバに含まれる他の１つのサーバからダウンロードするコンテンツ取得部と、
前記一部ファイルのダウンロード速度を計測する速度計測部と、
前記速度計測部が計測した前記一部ファイルの前記ダウンロード速度と、基準速度とを比較する速度比較部と、
前記速度比較部による比較の結果、前記一部ファイルのダウンロード速度が前記基準速度よりも速いと判断した場合、次に他のコンテンツファイルをダウンロードする際に、前記他のコンテンツファイルの残部ファイルを前記他の１つのサーバからダウンロードするようにダウンロード先のサーバの切り替えを前記コンテンツ取得部に指示する前記切替指令を出力するサーバ切替指示部とを備えており、
前記サーバ切替指示部が出力する前記切替指令には、前記他のコンテンツファイルの一部ファイルを前記他の１つのサーバ以外のサーバからダウンロードするようにダウンロード先のサーバの切り替えを前記コンテンツ取得部に指示する指令内容が含まれており、
前記基準速度は、前のダウンロードにおいて、他のコンテンツファイルの一部ファイルを前記１つのサーバからダウンロードした際に、前記速度計測部が計測したダウンロード速度であり、
前記速度比較部は、前記一部ファイルのダウンロード速度が前記基準速度よりも速いと判断した場合、前記ダウンロード速度を前記基準速度として記憶するようになっており、
前記コンテンツファイルは、電子出版物であり、
前記一部ファイルは、前記電子出版物の各ページのサムネイル画像であるコンテンツ・ダウンロード・システム。
【請求項２】
同内容のコンテンツファイルを記憶した複数のサーバから、前記コンテンツファイルのダウンロードに適した前記サーバを選択し、前記コンテンツファイルをダウンロードするコンテンツ・ダウンロード・システムであって、
前記コンテンツファイルは、前記コンテンツファイルを構成する一部ファイルと、前記一部ファイルよりもデータ量の大きい残部ファイルとから構成されており、
切替指令に応じて、前記残部ファイルを前記複数のサーバに含まれる１つのサーバからダウンロードし、且つ、前記一部ファイルを前記複数のサーバに含まれる他の１つのサーバからダウンロードするコンテンツ取得部と、
前記一部ファイルのダウンロード速度を計測する速度計測部と、
前記速度計測部が計測した前記一部ファイルの前記ダウンロード速度と、基準速度とを比較する速度比較部と、
前記速度比較部による比較の結果、前記一部ファイルのダウンロード速度が前記基準速度よりも速いと判断した場合、次に他のコンテンツファイルをダウンロードする際に、前記他のコンテンツファイルの残部ファイルを前記他の１つのサーバからダウンロードするようにダウンロード先のサーバの切り替えを前記コンテンツ取得部に指示する前記切替指令を出力するサーバ切替指示部とを備えていることを特徴とするコンテンツ・ダウンロード・システム。
【請求項３】
前記サーバ切替指示部が出力する前記切替指令には、前記他のコンテンツファイルの一部ファイルを前記他の１つのサーバ以外のサーバからダウンロードするようにダウンロード先のサーバの切り替えを前記コンテンツ取得部に指示する指令内容が含まれている請求項２に記載のコンテンツ・ダウンロード・システム。
【請求項４】
前記基準速度は、前のダウンロードにおいて、他のコンテンツファイルの一部ファイルを前記１つのサーバからダウンロードした際に、前記速度計測部が計測したダウンロード速度である請求項２に記載のコンテンツ・ダウンロード・システム。
【請求項５】
前記速度比較部は、前記一部ファイルのダウンロード速度が前記基準速度よりも速いと判断した場合、前記ダウンロード速度を前記基準速度として記憶する請求項２に記載のコンテンツ・ダウンロード・システム。
【請求項６】
前記コンテンツファイルは、電子出版物であり、
前記一部ファイルは、前記電子出版物の各ページのサムネイル画像である請求項２に記載のコンテンツ・ダウンロード・システム。
【請求項７】
コンピュータを用いて、同内容のコンテンツファイルを記憶した複数のサーバから、前記コンテンツファイルのダウンロードに適した前記サーバを選択し、前記コンテンツファイルをダウンロードするコンテンツ・ダウンロード方法であって、
前記コンテンツファイルは、前記コンテンツファイルを構成する一部ファイルと、前記一部ファイルよりもデータ量の大きい残部ファイルとから構成されており、
切替指令に応じて、前記残部ファイルを前記複数のサーバに含まれる１つのサーバからダウンロードし、且つ、前記一部ファイルを前記複数のサーバに含まれる他の１つのサーバからダウンロードするダウンロードステップと、
前記一部ファイルのダウンロード速度を計測する速度計測ステップと、
前記速度計測ステップで計測した前記一部ファイルの前記ダウンロード速度と、基準速度とを比較する速度比較ステップと、
前記速度比較ステップによる比較の結果、前記一部ファイルのダウンロード速度が前記基準速度よりも速い場合、次に他のコンテンツファイルをダウンロードする際に、前記他のコンテンツファイルの残部ファイルを前記他の１つのサーバからダウンロードするようにダウンロード先のサーバの切り替えを指示する前記切替指令を出力するサーバ切替指示ステップとを前記コンピュータが実行することを特徴とするコンテンツ・ダウンロード方法。
【請求項８】
同内容のコンテンツファイルを記憶した複数のサーバから、前記コンテンツファイルのダウンロードに適した前記サーバを選択し、前記コンテンツファイルをダウンロードするためにコンピュータにインストールされて実行されるコンテンツ・ダウンロード用コンピュータプログラムであって、
前記コンテンツファイルは、前記コンテンツファイルを構成する一部ファイルと、前記一部ファイルよりもデータ量の大きい残部ファイルとから構成されており、
切替指令に応じて、前記残部ファイルを前記複数のサーバに含まれる１つのサーバからダウンロードし、且つ、前記一部ファイルを前記複数のサーバに含まれる他の１つのサーバからダウンロードするコンテンツ取得部と、
前記一部ファイルのダウンロード速度を計測する速度計測部と、
前記速度計測部が計測した前記一部ファイルの前記ダウンロード速度と、基準速度とを比較する速度比較部と、
前記速度比較部による比較の結果、前記一部ファイルのダウンロード速度が前記基準速度よりも速いと判断した場合、次に他のコンテンツファイルをダウンロードする際に、前記他のコンテンツファイルの残部ファイルを前記他の１つのサーバからダウンロードするようにダウンロード先のサーバの切り替えを前記コンテンツ取得部に指示する前記切替指令を出力するサーバ切替指示部とを前記コンピュータ内に実現するように構成されているコンテンツ・ダウンロード用コンピュータプログラム。